(57)【要約】【課題】例えば自動車やオートバイからなる車両に搭載される表示装置に関するもので、加飾部材への影響を抑えながら、情報表示スペースを確保することができる表示装置を提供する。【解決手段】第１の表示部３と、この第１の表示部３を縁取る加飾部（加飾部材）７３と、第１の表示部３に隣接する第２の表示部４とを備え、加飾部７３が第２の表示部４の一部を覆うように形成される表示装置において、加飾部７３に第２の表示部４の表示情報の一部を視認させる表示窓７３２を形成した。【選択図】図１
2010256197.tif 000002
【特許請求の範囲】
【請求項１】
第１の表示部と、この第１の表示部を縁取る加飾部材と、前記第１の表示部に隣接する第２の表示部とを備え、前記加飾部材が前記第２の表示部の一部を覆うように形成される表示装置において、前記加飾部材に前記第２の表示部の表示情報の一部を視認させる表示窓を形成したことを特徴とする表示装置。
【請求項２】
前記表示窓が加飾部材の縁取り方向に沿って列状に複数形成され、前記第２の表示部の一部が個々の前記表示窓に対応した複数の表示部でなることを特徴とする請求項１記載の表示装置。
【請求項３】
前記表示窓が透光性材料によって拡大レンズとして形成されることを特徴とする請求項１記載の表示装置。
【発明の詳細な説明】
【技術分野】
【０００１】
本発明は、例えば自動車やオートバイからなる車両に搭載される表示装置に関するものである。
【背景技術】
【０００２】
この種の表示装置として、例えば下記特許文献１に記載されている表示装置が知られている。この表示装置は、表示板上で回転する指針にて車速等の計測量を表示する第１の表示部と、この第１の表示部を縁取る加飾リング（加飾部材）と、第１の表示部に隣接しシフトポジションからなる車両情報を表示する第２の表示部とを備えており、加飾リングは閉じられたリング形状に形成され、その一部が第２の表示部においてシフトポジション情報を表示しない背景エリアを覆うように横切る位置関係に配置されている。
【先行技術文献】
【特許文献】
【０００３】
【特許文献１】特開２００８−１３９０８７号公報
【発明の開示】
【発明が解決しようとする課題】
【０００４】
しかしながら、特許文献１記載の表示装置は、加飾リングが第２の表示部を横切るように配置されるため、シフトポジションのように情報表示に比較的場所を取らない表示部の場合は深刻な問題とはなりにくいが、例えば液晶表示器を用い、一画面に様々な情報を切替もしくは並列表示する表示部の場合は、加飾リングによって情報表示のための表示スペースが制限されてしまうという問題がある。このため表示スペースの確保を優先する場合には、第２の表示部に対応する加飾リング箇所を部分的に破断して表示スペースを確保する対策がとられていたが、加飾リングのデザイン（造形や形状）が犠牲となったり、制約を受けるという問題がある。
【０００５】
本発明は、この点に鑑みてなされたもので、加飾部材への影響を抑えながら、情報表示スペースを確保することができる表示装置を提供するものである。
【課題を解決するための手段】
【０００６】
本発明は、前記目的を達成するため、第１の表示部と、この第１の表示部を縁取る加飾部材と、前記第１の表示部に隣接する第２の表示部とを備え、前記加飾部材が前記第２の表示部の一部を覆うように形成される表示装置において、前記加飾部材に前記第２の表示部の表示情報の一部を視認させる表示窓を形成したことを特徴とする。かかる構成によれば、装飾部材に表示窓を形成するだけでよいため、加飾部材のデザインを大きく変えることなく、第２の表示部の表示スペースを確保することができる。
【０００７】
また本発明は、前記表示窓が加飾部材の縁取り方向に沿って列状に複数形成され、前記第２の表示部の一部が個々の前記表示窓に対応した複数の表示部でなることを特徴とする。かかる構成によれば、装飾部材と第２の表示部の表示情報の一部とで加飾部材の縁取り方向に沿った一体感のある表示が可能となる。
【０００８】
また本発明は、前記表示窓が透光性材料によって拡大レンズとして形成されることを特徴とする。かかる構成によれば、第２の表示部の表示情報の一部を拡大して表示するため、拡大レンズ効果により、表示窓と第２の表示部の表示情報との位置ずれの許容幅を大きくすることができる。
【発明の効果】
【０００９】
本発明によれば、初期の目的を達成でき、加飾部材への影響を抑えながら、情報表示スペースを確保することができる表示装置を提供することができる。
【図面の簡単な説明】
【００１０】
【図１】本発明の第１の実施形態による表示装置の正面図。
【図２】図１のＡ−Ａ断面図（ハッチングは省略）。
【図３】図２の要部拡大図（ハッチングは省略）。
【図４】本発明の第２の実施形態による表示装置の正面図。
【発明を実施するための形態】
【００１１】
図１〜図３は、本発明の第１の実施形態を示す。
【００１２】
図１，図２において、本実施形態による表示装置は、例えば自動車やオートバイ等の車両に搭載されるもので、裏カバー１と、回路基板２と、第１の表示部３と、第２の表示部４と、光源５と、フレーム体６と、カバー部材７とを備えている。
【００１３】
裏カバー１は、例えば遮光性の合成樹脂からなり、カバー部材７と組み合わされて回路基板２と、第１の表示部３と、第２の表示部４と、フレーム体６を収納する収納空間を形成する。
【００１４】
回路基板２は、例えば周知な硬質回路基板であり、第１，第２の表示部３，４の各構成部品やこれらを照明する光源５が電気接続されている。
【００１５】
第１の表示部３は、例えば指針式タコメータからなるもので、駆動本体３１と、指針３２と、表示板３３とからなる。
【００１６】
駆動本体３１は、指針軸３４を有し、回路基板１の背面に本体部が位置し、指針軸が回路基板１を貫通するように取り付け固定されている。
【００１７】
指針３２は、指針軸３４に連結され、表示板３３上を計測量に応じて回転するように設けられている。
【００１８】
表示板３３は、周知な印刷文字板でなり指針３２に対応する目盛や数字等の指標部３５が形成されている。
【００１９】
第２の表示部４は、例えば燃料残量と車速と時刻等の情報を表示する液晶表示パネル４１からなる。
【００２０】
光源５は、例えば複数の発光ダイオードからなり、回路基板２上に実装され、発光により第１の表示部３（指針３２と指標部３５）と第２の表示部４とを照明する。
【００２１】
フレーム体６は、例えば乳白色の乳白色の合成樹脂材料からなり、回路基板１上に配置され、光源３を内部に収納すると共に、表示板３３と、液晶表示パネル４１を背後から支持する。
【００２２】
カバー部材７は、それ自体が例えば透光性合成樹脂からなり、第１の透視部７１と、第２の透視部７２と、加飾部（加飾部材）７３と、遮光部７４とからなる。
【００２３】
第１の透視部７１は、第１の表示部３を透視可能に、第２の透視部７２は、第２の表示部４を透視可能にそれぞれ覆うものである。
【００２４】
加飾部７３は、第１の表示部３の外周を帯状に縁取ると共に第２の表示部の一部を覆うように形成されている。
【００２５】
この加飾部７３は、図３にも示すように、例えばカバー部材７の型成形時に一体化（インモールド成形）された第１の着色フィルム７３１によって形成され、この着色フィルム７３１は、シルバー色の合成樹脂シートからなる。
【００２６】
また加飾部７３には、第２の表示部４に対応する箇所に、第２の表示部４の表示情報の一部、この場合、燃料残量に応じて表示長さが変化するバーグラフ表示部ＢＧを視認させる表示窓７３２が形成されており、この表示窓７３２は、バーグラフ表示部ＢＧに対応すると共に加飾部７３の縁取り方向に沿って列状に複数形成されている。
【００２７】
また表示窓７３２は、第１の着色フィルム７３１と一体形成された第２の着色フィルム７３３によって覆われており、この場合、第２の着色フィルム７３３は、第１、第２の透視部７１，７２よりも透過率が低いスモーク色に設定され、第１、第２の透視部７１，７２とは差別化されている。
【００２８】
さらに表示窓７３２の表面形状は、例えば観察者に向けて凸となる拡大レンズとして形成されるため、その拡大レンズの周囲には拡大レンズを縁取るように凹部が形成され、立体的な見栄えを実現していると共に拡大レンズの背面側は、個々のバーグラフ表示部ＢＧに向かって柱状に延びる複数の延長部７３４が形成され、この延長部７３４によりバーグラフ表示部ＢＧの表示像を拡大レンズ側に導くようになっている。
【００２９】
遮光部７４は、加飾部７３と同様、第１の着色フィルム７３１のインモールド形成によって形成されている。
【００３０】
以上のように本実施形態では、第１の表示部３と、この第１の表示部３を縁取る加飾部（加飾部材）７３と、第１の表示部３に隣接する第２の表示部４とを備え、加飾部７３が第２の表示部４の一部を覆うように形成される表示装置において、加飾部７３に第２の表示部４の表示情報の一部を視認させる表示窓７３２を形成したことにより、装飾部７３に表示窓７３２を形成するだけでよいため、加飾部７３のデザイン（基本デザイン）を大きく変えることなく、第２の表示部４の表示スペースを確保することができる。
【００３１】
また本実施形態では、表示窓７３２が加飾部７３の縁取り方向に沿って列状に複数形成され、第２の表示部４の一部が個々の表示窓７３２に対応したバーグラフ表示部（複数の表示部）ＢＧでなることにより、装飾部７３と第２の表示部４の表示情報の一部とで加飾部７３の縁取り方向に沿った一体感のある表示が可能となる。
【００３２】
また本実施形態では、表示窓７３２が透光性材料によって拡大レンズとして形成されることにより、第２の表示部４の表示情報の一部を拡大して表示するため、拡大レンズ効果により、表示窓７３２と第２の表示部４の表示情報との位置ずれの許容幅を大きくすることができる。
【００３３】
図４は、本発明の第２の実施形態を示す。
【００３４】
本実施形態では、表示窓７３２から第２の表示部４の表示情報の一部として、「ＡＢＳ」、「ＦＩ」なる文字情報（複数の表示部）ＩＮを視認させる場合を示している。この場合、表示窓７３２から視認させる第２の表示部４の表示情報は文字情報ＩＮやバーグラフ表示部ＢＧに限らず、任意の情報であってよい。
【００３５】
なお加飾部７３は、閉じられた円形リング形状に限らず、様々な形状を適用できる。また加飾部７３は、前記実施形態のごとくカバー部材７の一部としてではなく、専用部品として設けることもできる。さらに加飾部７３に指標部３５またはその一部を設けることもできる。
【符号の説明】
【００３６】
１  裏カバー
２  回路基板
３  第１の表示部
４  第２の表示部
５  光源
６  フレーム体
７  カバー部材
３１  駆動本体
３２  指針
３３  表示板
３４  指針軸
３５  指標部
７１  第１の透視部
７２  第２の透視部
７３  加飾部（加飾部材）
７４  遮光部
７３１  第１の着色フィルム
７３２  表示窓
７３３  第２の着色フィルム
７３４  延長部
ＢＧ  バーグラフ表示部（複数の表示部）
ＩＮ  文字情報（複数の表示部）
【図１】
2010256197.tif 000003
【図２】
2010256197.tif 000004
【図３】
2010256197.tif 000005
【図４】
2010256197.tif 000006